【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）のワイヤレス通信の方法であって、
第２のＵＥから発見メッセージを受信することと、前記発見メッセージは、前記第２のＵＥの１ホップ近隣ＵＥについての情報を含む、
前記発見メッセージに基づいて第３のＵＥと通信することを決定することと、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求することと、
前記第２のＵＥを通じて前記第３のＵＥと通信することと
を備え、
前記発見メッセージは、前記第２のＵＥによって生成され、一時識別子（ＩＤ）を含み、
前記一時ＩＤのプレフィックス部分は、前記第２のＵＥのグループＩＤと前記第２のＵＥのグループキーＩＤとを含み、
前記一時ＩＤのサフィックス部分は、前記第２のＵＥ自身のＩＤ、前記第２のＵＥの階層情報、および前記第２のＵＥの前記１ホップ近隣ＵＥの階層情報を含む、
方法。
【請求項２】
前記発見メッセージは、前記第２のＵＥの２ホップ近隣ＵＥについての情報をさらに含み、前記方法は、
前記発見メッセージに基づいて第４のＵＥと通信することを決定することと、ここにおいて、前記第４のＵＥは、前記第２のＵＥの前記２ホップ近隣ＵＥのうちの１つであり、前記第３のＵＥの１ホップ近隣ＵＥである、
前記第１のＵＥと前記第４のＵＥとの間での通信のために中継器として動作することを前記第２のＵＥと前記第３のＵＥとに要求することと、
前記第２のＵＥと前記第３のＵＥとを通じて前記第４のＵＥと通信することと
をさらに備える、請求項１に記載の方法。
【請求項３】
前記第１のＵＥは、第１のグループ識別子（ＩＤ）と第１のグループキーＩＤとを有し、前記方法は、
前記第１のグループＩＤと前記第１のグループキーＩＤとに基づいて前記発見メッセージを復号することを試みることと、
前記発見メッセージに含まれる前記第２のＵＥの前記グループＩＤと前記第１のグループＩＤとが同じであり、且つ前記発見メッセージに含まれる前記第２のＵＥの前記グループキーＩＤと前記第１のグループキーＩＤとが同じであるときに、前記復号された発見メッセージに基づいて前記１ホップ近隣ＵＥを決定することと
をさらに備える、請求項１に記載の方法。
【請求項４】
前記第１のグループＩＤは、第１のレイヤ２グループＩＤであり、前記第１のグループキーＩＤは、第１の近接サービスグループキーＩＤ（ＰＧＫ ＩＤ）である、請求項３に記載の方法。
【請求項５】
前記プレフィックス部分と前記サフィックス部分とは、ハッシュ関数、前記第２のＵＥの前記グループＩＤ、および前記第２のＵＥの前記グループキーＩＤに基づいて符号化される、請求項３に記載の方法。
【請求項６】
前記発見メッセージ中に示された前記第２のＵＥと前記１ホップ近隣ＵＥとの階層情報に基づいて、フロアアービトレータＵＥとして前記第２のＵＥと前記第２のＵＥの前記１ホップ近隣ＵＥとのうちの１つを選択することと、
前記フロアアービトレータＵＥにフロア要求を送ることと、
前記フロア要求に応答して前記フロアアービトレータＵＥからフロア応答を受信することと、
前記フロア応答に基づいて前記第２のＵＥの前記１ホップ近隣ＵＥのうちの１つまたは複数および前記第２のＵＥと通信することと
をさらに備える、請求項１に記載の方法。
【請求項７】
前記フロアアービトレータＵＥは、前記階層情報に基づいて前記発見メッセージ中に示された、前記第２のＵＥと前記１ホップ近隣ＵＥとの中での最も高い階層値を有する、請求項６に記載の方法。
【請求項８】
前記第３のＵＥが前記フロアアービトレータＵＥとして選択される場合、前記第２のＵＥは、前記第１のＵＥと前記第３のＵＥとの間での前記フロア要求および前記フロア応答の通信のために中継器として動作する、請求項６に記載の方法。
【請求項９】
前記フロアアービトレータＵＥがもはや利用可能でないと決定することと、
前記第２のＵＥおよび１ホップ近隣ＵＥの前記階層情報に基づいて、後続のフロアアービトレータＵＥとして前記第２のＵＥと前記第２のＵＥの前記１ホップ近隣ＵＥとのうちの別のＵＥを選択することと
をさらに備える、請求項６に記載の方法。
【請求項１０】
後続のフロアアービトレータとしての前記第２のＵＥと前記第２のＵＥの前記１ホップ近隣ＵＥとのうちの前記別のＵＥは、フロア制御リストに基づいて前記後続のフロアアービトレータとして選択され、前記フロア制御リストは、フロア制御プロシージャの状態を含む、請求項９に記載の方法。
【請求項１１】
第１のユーザ機器（ＵＥ）のためのワイヤレス通信の方法であって、
前記第１のＵＥの１ホップ近隣ＵＥについての情報を含む発見メッセージを生成することと、
第２のＵＥに前記発見メッセージを送信することと、
前記第２のＵＥと第３のＵＥとの間での通信のために中継器として動作することを求める要求を前記第２のＵＥから受信することと、前記第３のＵＥは、前記第１のＵＥの前記１ホップ近隣ＵＥのうちの１つである、
前記要求に基づいて前記第２のＵＥと前記第３のＵＥとの間での通信のために中継機能を遂行することと
を備え、
前記発見メッセージは、一時識別子（ＩＤ）を含み、
前記一時ＩＤのプレフィックス部分は、前記第１のＵＥのグループＩＤと前記第１のＵＥのグループキーＩＤとを含み、
前記一時ＩＤのサフィックス部分は、前記第１のＵＥ自身のＩＤ、前記第１のＵＥの階層情報、および前記第１のＵＥの前記１ホップ近隣ＵＥの階層情報を含む、
方法。
【請求項１２】
前記発見メッセージを前記生成することは、
前記発見メッセージ中に含まれている前記グループ識別子（ＩＤ）とグループキーＩＤとにハッシュ関数を適用することによって前記発見メッセージを符号化すること
を備え、前記グループＩＤと前記グループキーＩＤとは、前記第１のＵＥと同じグループ中にあるＵＥに知られている、請求項１１に記載の方法。
【請求項１３】
ワイヤレス通信のための装置であって、前記装置は、第１のユーザ機器（ＵＥ）であり、
第２のＵＥから発見メッセージを受信するための手段と、前記発見メッセージは、前記第２のＵＥの１ホップ近隣ＵＥについての情報を含む、
前記発見メッセージに基づいて第３のＵＥと通信することを決定するための手段と、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求するための手段と、
前記第２のＵＥを通じて前記第３のＵＥと通信する手段と
を備え、
前記発見メッセージは、前記第２のＵＥによって生成され、一時識別子（ＩＤ）を含み、
前記一時ＩＤのプレフィックス部分は、前記第２のＵＥのグループＩＤと前記第２のＵＥのグループキーＩＤとを含み、
前記一時ＩＤのサフィックス部分は、前記第２のＵＥ自身のＩＤ、前記第２のＵＥの階層情報、および前記第２のＵＥの前記１ホップ近隣ＵＥの階層情報を含む、
装置。
【請求項１４】
ワイヤレス通信のための装置であって、前記装置は、第１のユーザ機器（ＵＥ）であり、
前記第１のＵＥの１ホップ近隣ＵＥについての情報を含む発見メッセージを生成するための手段と、
第２のＵＥに前記発見メッセージを送信するための手段と、
前記第２のＵＥと第３のＵＥとの間での通信のために中継器として動作することを求める要求を前記第２のＵＥから受信するための手段と、前記第３のＵＥは、前記第１のＵＥの前記１ホップ近隣ＵＥのうちの１つである、
前記要求に基づいて前記第２のＵＥと前記第３のＵＥとの間での通信のために中継機能を遂行するための手段と
を備え、
前記発見メッセージは、一時識別子（ＩＤ）を含み、
前記一時ＩＤのプレフィックス部分は、前記第１のＵＥのグループＩＤと前記第１のＵＥのグループキーＩＤとを含み、
前記一時ＩＤのサフィックス部分は、前記第１のＵＥ自身のＩＤ、前記第１のＵＥの階層情報、および前記第１のＵＥの前記１ホップ近隣ＵＥの階層情報を含む、
装置。
【請求項１５】
実行されると、請求項１〜請求項１２のうちのいずれか一項に記載の方法をコンピュータに実行させる命令を備える、コンピュータプログラム。
【手続補正２】
【補正対象書類名】明細書
【補正対象項目名】０１０５
【補正方法】変更
【補正の内容】
【０１０５】
[00124]先の説明は、いかなる当業者であっても、ここに説明された様々な態様を実施することを可能にするために提供される。これらの態様への様々な修正は、当業者にとって容易に明らかとなり、ここに定義された包括的な原理は、他の態様に適用されうる。このことから、特許請求の範囲は、ここに示された態様に限定されるように意図されてはいないが、特許請求の範囲の文言と一致する全範囲を付与されるべきであり、ここにおいて、単数形での要素への言及は、そうであると具体的に記載されない限り、「１つおよび１つのみ」を意味するようには意図されず、むしろ「１つまたは複数」を意味する。「例証的（exemplary）」という用語は、ここでは、「例、事例、または例示としての役割を果たすこと」を意味するように使用される。「例証的」であるとしてここに説明されたいずれの態様も、他の態様より好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含みうる。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣでありえ、ここで、任意のそのような組み合わせは、Ａ、Ｂ、またはＣの１つまた複数のメンバを含みうる。当業者に知られているか、または後に知られることとなる、この開示全体を通じて説明された様々な態様の要素と構造的および機能的に同等な物は全て、参照によってここに明確に組み込まれ、特許請求の範囲によって包含されるように意図される。その上、ここに開示されたものはいずれも、そのような開示が特許請求の範囲中に明示的に記載されているかどうかにかかわらず、公に献呈されるようには意図されていない。「モジュール」、「メカニズム」、「要素」、「デバイス」、等の用語は、「手段」という用語の代用ではないことがありうる。そのため、要素が「〜のための手段」というフレーズを使用して明確に記載されていない限り、どの請求項の要素もミーンズプラスファンクションとして解釈されるべきではない。
以下に本願の出願当初の特許請求の範囲に記載された発明を付記する。
[Ｃ１]  第１のユーザ機器（ＵＥ）のワイヤレス通信の方法であって、
第２のＵＥから発見メッセージを受信することと、前記発見メッセージは、前記第２のＵＥの１ホップ近隣ＵＥについての情報を含む、
前記発見メッセージに基づいて第３のＵＥと通信することを決定することと、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求することと、
前記第２のＵＥを通じて前記第３のＵＥと通信することと
を備える、方法。
[Ｃ２]  前記発見メッセージは、前記第２のＵＥの２ホップ近隣ＵＥについての情報をさらに含み、前記方法は、
前記発見メッセージに基づいて第４のＵＥと通信することを決定することと、ここにおいて、前記第４のＵＥは、前記第２のＵＥの前記２ホップ近隣ＵＥのうちの１つであり、前記第３のＵＥの１ホップ近隣ＵＥである、
前記第１のＵＥと前記第４のＵＥとの間での通信のために中継器として動作することを前記第２のＵＥと前記第３のＵＥとに要求することと、
前記第２のＵＥと前記第３のＵＥとを通じて前記第４のＵＥと通信することと
をさらに備える、Ｃ１に記載の方法。
[Ｃ３]  前記第１のＵＥは、第１のグループ識別子（ＩＤ）と第１のグループキーＩＤとを有し、前記発見メッセージは、第２のグループＩＤと第２のグループキーＩＤとを含み、前記方法は、
前記第１のグループＩＤと前記第１のグループキーＩＤとに基づいて前記発見メッセージを復号することを試みることと、
前記第１のグループＩＤと前記第２のグループＩＤとが同じであり、且つ前記第１のグループキーＩＤと前記第２のグループキーＩＤとが同じであるときに、前記復号された発見メッセージに基づいて前記１ホップ近隣ＵＥを決定することと
をさらに備える、Ｃ１に記載の方法。
[Ｃ４]  前記発見メッセージは、プレフィックス部分とサフィックス部分とを含む一時識別子（ＩＤ）を含み、前記プレフィックス部分は、前記第２のグループＩＤと前記第２のグループキーＩＤとを含み、前記サフィックス部分は、前記第２のＵＥの前記１ホップ近隣ＵＥを示す少なくとも１つの識別子を含む、Ｃ３に記載の方法。
[Ｃ５]  前記第１のグループＩＤは、第１のレイヤ２グループＩＤであり、前記第１のグループキーＩＤは、第１の近接サービスグループキーＩＤ（ＰＧＫ ＩＤ）である、Ｃ４に記載の方法。
[Ｃ６]  前記サフィックス部分は、前記第２のＵＥのＩＤ、前記第２のＵＥの階層情報、および前記第２のＵＥの前記１ホップ近隣ＵＥの階層情報をさらに含む、Ｃ４に記載の方法。
[Ｃ７]  前記プレフィックス部分と前記サフィックス部分とは、ハッシュ関数、前記第２のグループＩＤ、および前記第２のグループキーＩＤに基づいて符号化される、Ｃ４に記載の方法。
[Ｃ８]  前記発見メッセージ中に示された前記第２のＵＥと前記１ホップ近隣ＵＥとの階層情報に基づいて、フロアアービトレータＵＥとして前記第２のＵＥと前記第２のＵＥの前記１ホップ近隣ＵＥとのうちの１つを選択することと、
前記フロアアービトレータＵＥにフロア要求を送ることと、
前記フロア要求に応答して前記フロアアービトレータＵＥからフロア応答を受信することと、
前記フロア応答に基づいて前記第２のＵＥの前記１ホップ近隣ＵＥのうちの１つまたは複数と前記第２のＵＥと通信することと
をさらに備える、Ｃ１に記載の方法。
[Ｃ９]  前記フロアアービトレータＵＥは、前記階層情報に基づいて前記発見メッセージ中に示された、前記第２のＵＥと前記１ホップ近隣ＵＥとの中での最も高い階層値を有する、Ｃ８に記載の方法。
[Ｃ１０]  前記第３のＵＥが前記フロアアービトレータＵＥとして選択される場合、前記第２のＵＥは、前記第１のＵＥと前記第３のＵＥとの間での前記フロア要求と前記フロア応答との通信のために中継器として動作する、Ｃ８に記載の方法。
[Ｃ１１]  前記フロアアービトレータＵＥがもはや利用可能でないと決定することと、
前記第２のＵＥと１ホップ近隣ＵＥとの前記階層情報に基づいて、後続のフロアアービトレータＵＥとして前記第２のＵＥと前記第２のＵＥの前記１ホップ近隣ＵＥとのうちの別のＵＥを選択することと
をさらに備える、Ｃ８に記載の方法。
[Ｃ１２]  後続のフロアアービトレータとしての前記第２のＵＥと前記第２のＵＥの前記１ホップ近隣ＵＥとのうちの前記別のＵＥは、フロア制御リストに基づいて前記後続のフロアアービトレータとして選択され、前記フロア制御リストは、フロア制御プロシージャの状態を含む、Ｃ１１に記載の方法。
[Ｃ１３]  第１のユーザ機器（ＵＥ）のためのワイヤレス通信の方法であって、
前記第１のＵＥの１ホップ近隣ＵＥについての情報を含む発見メッセージを生成することと、
第２のＵＥに前記発見メッセージを送信することと、
前記第１のＵＥと第３のＵＥとの間での通信のために中継器として動作することを求める要求を前記第２のＵＥから受信することと、前記第３のＵＥは、前記第１のＵＥの前記１ホップ近隣ＵＥのうちの１つである、
前記要求に基づいて前記第１のＵＥと前記第３のＵＥとの間での通信のために中継機能を遂行することと
を備える、方法。
[Ｃ１４]  前記発見メッセージを前記生成することは、
前記発見メッセージ中に含まれているグループ識別子（ＩＤ）とグループキーＩＤとにハッシュ関数を適用することによって前記発見メッセージを符号化すること
を備え、前記グループＩＤと前記グループキーＩＤとは、前記第１のＵＥと同じグループ中にあるＵＥに知られている、Ｃ１３に記載の方法。
[Ｃ１５]  前記発見メッセージは、プレフィックス部分とサフィックス部分とを含む一時識別子（ＩＤ）を含み、前記プレフィックス部分は、前記グループＩＤと前記グループキーＩＤとを含み、前記サフィックス部分は、前記第２のＵＥの前記１ホップ近隣ＵＥを示す少なくとも１つの識別子を含む、Ｃ１４に記載の方法。
[Ｃ１６]  前記グループＩＤは、レイヤ２グループＩＤであり、前記グループキーＩＤは、近接サービスグループキーＩＤ（ＰＧＫ ＩＤ）である、Ｃ１５に記載の方法。
[Ｃ１７]  前記サフィックス部分は、前記第１のＵＥのＩＤ、前記第１のＵＥの階層情報、および前記第１のＵＥの前記１ホップ近隣ＵＥの階層情報をさらに含む、Ｃ１５に記載の方法。
[Ｃ１８]  前記発見メッセージを前記生成することは、
前記１ホップ近隣ＵＥの階層または前記１ホップ近隣ＵＥの信号強度のうちの少なくとも１つに基づいて、前記発見メッセージ中に示されることになる前記１ホップ近隣ＵＥのうちの１つまたは複数を選択することと、
前記１ホップ近隣ＵＥのうちの前記選択された１つまたは複数についての情報を含む前記発見メッセージを生成することと
を備える、Ｃ１３に記載の方法。
[Ｃ１９]  前記第１のＵＥの１ホップ近隣ＵＥの第２のセットについての情報を含む第２の発見メッセージを生成することと、ここにおいて、前記第１のＵＥの前記１ホップ近隣ＵＥの前記第２のセットは、前記発見メッセージ中に示された前記第１のＵＥの前記１ホップ近隣ＵＥの第１のセットとは異なる、
前記第２のＵＥに前記第２の発見メッセージを送信することと
をさらに備える、Ｃ１３に記載の方法。
[Ｃ２０]  前記第１のＵＥの前記１ホップ近隣ＵＥについての情報を含むグループ通信メッセージを生成することと、ここにおいて、前記グループ通信メッセージは、前記発見メッセージとリンクされる、
前記第２のＵＥに前記グループ通信メッセージを送信することと
をさらに備える、Ｃ１３に記載の方法。
[Ｃ２１]  ワイヤレス通信のための装置であって、前記装置は、第１のユーザ機器（ＵＥ）であり、
メモリと、
前記メモリに結合され、
第２のＵＥから発見メッセージを受信することと、前記発見メッセージは、前記第２のＵＥの１ホップ近隣ＵＥについての情報を含む、
前記発見メッセージに基づいて第３のＵＥと通信することを決定することと、前記第３のＵＥは、前記第２のＵＥの前記１ホップ近隣ＵＥのうちの１つである、
前記第１のＵＥと前記第３のＵＥとの間での通信のために中継器として動作することを前記第２のＵＥに要求することと、
前記第２のＵＥを通じて前記第３のＵＥと通信することと
を行うように構成された少なくとも１つのプロセッサと
を備える、装置。
[Ｃ２２]  前記発見メッセージは、前記第２のＵＥの２ホップ近隣ＵＥについての情報をさらに含み、前記少なくとも１つのプロセッサは、
前記発見メッセージに基づいて第４のＵＥと通信することを決定することと、ここにおいて、前記第４のＵＥは、前記第２のＵＥの前記２ホップ近隣ＵＥのうちの１つであり、前記第３のＵＥの１ホップ近隣ＵＥである、
前記第１のＵＥと前記第４のＵＥとの間での通信のために中継器として動作することを前記第２のＵＥと前記第３のＵＥとに要求することと、
前記第２のＵＥと前記第３のＵＥとを通じて前記第４のＵＥと通信することと
を行うようにさらに構成される、Ｃ２１に記載の装置。
[Ｃ２３]  前記第１のＵＥは、第１のグループ識別子（ＩＤ）と第１のグループキーＩＤとを有し、前記発見メッセージは、第２のグループＩＤと第２のグループキーＩＤとを含み、前記前記少なくとも１つのプロセッサは、
前記第１のグループＩＤと前記第１のグループキーＩＤとに基づいて前記発見メッセージを復号することを試みることと、
前記第１のグループＩＤと前記第２のグループＩＤとが同じであり、且つ前記第１のグループキーＩＤと前記第２のグループキーＩＤとが同じであるときに、前記復号された発見メッセージに基づいて前記１ホップ近隣ＵＥを決定することと
を行うようにさらに構成される、Ｃ２１に記載の装置。
[Ｃ２４]  前記発見メッセージは、プレフィックス部分とサフィックス部分とを含む一時識別子（ＩＤ）を含み、前記プレフィックス部分は、前記第２のグループＩＤと前記第２のグループキーＩＤとを含み、前記サフィックス部分は、前記第２のＵＥの前記１ホップ近隣ＵＥを示す少なくとも１つの識別子を含む、Ｃ２３に記載の装置。
[Ｃ２５]  前記少なくとも１つのプロセッサは、
前記発見メッセージ中に示された前記第２のＵＥと前記１ホップ近隣ＵＥとの階層情報に基づいて、フロアアービトレータＵＥとして前記第２のＵＥと前記第２のＵＥの前記１ホップ近隣ＵＥとのうちの１つを選択することと、
前記フロアアービトレータＵＥにフロア要求を送ることと、
前記フロア要求に応答して前記フロアアービトレータＵＥからフロア応答を受信することと、
前記フロア応答に基づいて前記第２のＵＥの前記１ホップ近隣ＵＥのうちの１つまたは複数と前記第２のＵＥと通信することと
を行うようにさらに構成される、Ｃ２１に記載の装置。
[Ｃ２６]  前記フロアアービトレータＵＥは、前記階層情報に基づいて前記発見メッセージ中に示された、前記第２のＵＥと前記１ホップ近隣ＵＥとの中での最も高い階層値を有する、Ｃ２５に記載の装置。
[Ｃ２７]  前記第３のＵＥが前記フロアアービトレータＵＥとして選択される場合、前記第２のＵＥは、前記第１のＵＥと前記第３のＵＥとの間での前記フロア要求と前記フロア応答との通信のために中継器として動作する、Ｃ２５に記載の装置。
[Ｃ２８]  前記少なくとも１つのプロセッサは、
前記フロアアービトレータＵＥがもはや利用可能でないと決定することと、
前記第２のＵＥと１ホップ近隣ＵＥとの前記階層情報に基づいて、後続のフロアアービトレータＵＥとして前記第２のＵＥと前記第２のＵＥの前記１ホップ近隣ＵＥとのうちの別のＵＥを選択することと
を行うようにさらに構成される、Ｃ２５に記載の装置。
[Ｃ２９]  後続のフロアアービトレータとしての前記第２のＵＥと前記第２のＵＥの前記１ホップ近隣ＵＥとのうちの前記別のＵＥは、フロア制御リストに基づいて前記後続のフロアアービトレータとして選択され、前記フロア制御リストは、フロア制御プロシージャの状態を含む、Ｃ２８に記載の装置。
[Ｃ３０]  ワイヤレス通信のための装置であって、前記装置は、第１のユーザ機器（ＵＥ）であり、
メモリと、
前記メモリに結合され、
前記第１のＵＥの１ホップ近隣ＵＥについての情報を含む発見メッセージを生成することと、
第２のＵＥに前記発見メッセージを送信することと、
前記第１のＵＥと第３のＵＥとの間での通信のために中継器として動作することを求める要求を前記第２のＵＥから受信することと、前記第３のＵＥは、前記第１のＵＥの前記１ホップ近隣ＵＥのうちの１つである、
前記要求に基づいて前記第１のＵＥと前記第３のＵＥとの間での通信のために中継機能を遂行することと
を行うように構成された少なくとも１つのプロセッサと
を備える、装置。